(57)【特許請求の範囲】
【請求項１】
基台と、
前記基台上に配設されたディスク状の記録媒体と、
前記基台上に設けられ、前記記録媒体を支持しているとともに回転させる駆動モータと、
前記記録媒体に対して情報処理を行うヘッドと、
前記基台上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なキャリッジと、
前記基台に設けられ、前記キャリッジが退避位置に移動した際にキャリッジに当接し、前記キャリッジを退避位置に位置決めする固定ストッパと、
前記キャリッジが前記退避位置に移動している状態で外力を受けた際、前記キャリッジをラッチして前記退避位置に保持するラッチ機構と、を備え、
前記ラッチ機構は、前記キャリッジをラッチ可能なラッチ位置とラッチを解除する解除位置との間を移動自在に前記底壁上に支持されたラッチ部材と、前記基台に設けられ前記ラッチ位置方向への前記ラッチ部材の移動を規制するラッチストッパと、を備え、
前記ラッチ部材は、前記キャリッジが前記情報処理位置から退避位置に移動した際にキャリッジに当接し、前記キャリッジの移動に応じて前記ラッチ部材を解除位置からラッチ位置へ移動させる第１当接部と、前記ラッチ位置において前記キャリッジをラッチ可能なラッチ爪と、前記ラッチ位置において、前記ラッチストッパと隙間を置いて対向する第２当接部と、を有しているディスク駆動装置。
【請求項２】
前記キャリッジは、前記キャリッジを前記退避位置方向に付勢する第１磁気吸引部を有し、前記ラッチ機構は、前記ラッチ部材に設けられ、前記ラッチ部材を前記解除位置方向に付勢する第２磁気吸引部を有している請求項１に記載のディスク駆動装置。
【請求項３】
前記ラッチ部材は、前記基台上に回動自在に支持された支持部を有し、前記第２当接部および第２磁気吸引部は、前記支持部に対して前記ラッチ爪と反対側に位置している請求項２に記載のディスク駆動装置。
【請求項４】
前記ラッチ機構は、前記基台に設けられ前記ラッチ解除位置方向への前記ラッチ部材の移動を規制する第２ラッチストッパを有し、前記ラッチ部材は、前記支持部に対して前記ラッチ爪と同一側に設けられ前記ラッチ部材が解除位置に回動した際に前記第２ラッチストッパに当接する第３当接部を有している請求項３に記載のディスク駆動装置。
【請求項５】
前記基台に設けられた磁石と前記キャリッジに設けられ前記磁石と対向したコイルとを有し、前記キャリッジを回動させるコイルモータを備え、
前記キャリッジは、前記基台上に回動自在に支持された軸受部と、前記軸受部から延出し前記ヘッドを支持したサスペンションと、前記軸受部から前記サスペンションと反対方向に延出しているとともに前記コイルを支持した支持フレームと、を有し、
前記第１磁気吸引部および第２磁気吸引部は、前記磁石により磁気的に吸引される位置に設けられている請求項４に記載のディスク駆動装置。
【請求項６】
前記ラッチ機構は、前記支持フレームに設けられ前記ラッチ位置に移動したラッチ部材のラッチ爪と係合する係合爪を有し、
前記支持フレームは、前記固定ストッパに当接するストッパ当接部および前記ラッチ部材の第１当接部に当接するラッチ当接部を有している請求項５に記載のディスク駆動装置。
【請求項７】
前記固定ストッパは弾性を有している請求項１に記載のディスク駆動装置。
【発明の詳細な説明】
【技術分野】
【０００１】
この発明は、キャリッジのラッチ機構を備えたディスク駆動装置に関する。
【背景技術】
【０００２】
近年、パーソナルコンピュータ等の電子機器においては、大容量のディスク装置として、例えば、磁気ディスク装置が広く用いられている。一般に、磁気ディスク装置は、ケース内に配設された磁気ディスク、磁気ディスクを支持および回転駆動するスピンドルモータ、磁気ヘッドを支持した回動自在なキャリッジ、キャリッジを駆動するボイスコイルモータ（以下、ＶＣＭと称する）、基板ユニット等を備えている。ＶＣＭは、キャリッジに取り付けられたボイスコイルと、ケース側に取り付けられた一対のヨークおよび永久磁石とで構成されている。
【０００３】
また、近年、携帯可能な小型のパーソナルコンピュータが普及しつつあり、この種のパーソナルコンピュータに搭載される磁気ディスク装置は、携帯時における衝撃等に対する信頼性の向上が求められている。
【０００４】
そこで、磁気ディスク装置の非作動時に磁気ヘッドを所定位置に保持する機構として、ランプロード機構を備えたものが提案されている。このランプロード機構は、磁気ディスクの外側に設けられたランプを備え、磁気ディスク装置の非作動時、キャリッジは磁気ディスクの外周に位置した退避位置まで回動され、サスペンションがランプに乗り上げる。これにより、磁気ヘッドは、磁気ディスク表面から離間した位置に保持される。
【０００５】
更に、この種の磁気ディスク装置として、耐衝撃性を一層高めるため、ラッチ機構を備えたものが提案されている（例えば、特許文献１）。このラッチ機構は、非作動時、磁気ディスク装置に衝撃が作用すると、キャリッジと係合してその回動を規制し、キャリッジを退避位置に保持する。
【０００６】
このラッチ機構はラッチ爪を有したラッチ部材を備え、このラッチ部材は、キャリッジと係合可能なラッチ位置と、ラッチを解除する解除位置との間を移動可能に設けられている。キャリッジが退避位置に移動すると、キャリッジはラッチ部材の当接部に当接し、ラッチ部材を解除位置からラッチ位置に移動させる。そして、ラッチ部材は、ストッパに当接してラッチ位置に保持される。同時に、キャリッジは、ラッチ部材をストッパとして退避位置に保持される。これにより、ラッチ部材は、磁気ディスク装置に衝撃が作用すると、キャリッジをラッチしてその回動を規制し、キャリッジの不用意な移動を防止する。
【特許文献１】特開２００５−２３５３７５号公報
【発明の開示】
【発明が解決しようとする課題】
【０００７】
上述した構成のラッチ機構では、磁気ディスク装置の非動作時、キャリッジがラッチ部材に接触し、ラッチ部材そのものをストッパとして利用している。そのため、アンロード方向、つまり、キャリッジを退避位置方向へ回転させる強い回転衝撃が磁気ディスク装置に作用した場合、キャリッジを通してラッチ部材に大きな外力が作用し、ラッチ部材が大きく弾性変形してしまう。そのため、ラッチ部材はひずみエネルギをためて、そのひずみエネルギがキャリッジをディスク方向に押し出す可能性がある。
【０００８】
強い回転衝撃を受けると、キャリッジの押し出し量(反発量)が大きくなり、ラッチ部材のラッチ爪がキャリッジに掛からず、磁気ヘッドがディスク上に飛び出してしまい、その結果、磁気ディスク装置の損傷を招くことが考えられる。キャリッジのリバウンドとラッチ部材のひずみエネルギとを小さくするためには、ラッチ部材を複数の材料で形成するなどの対策が必要となり設計が複雑になるとともに、製造コストの増加を招く。
【０００９】
この発明は以上の点に鑑みなされたもので、その目的は、衝撃が作用した場合でもヘッドが不用意に移動することがなく、衝撃に対する信頼性の高いディスク駆動装置を提供することにある。
【課題を解決するための手段】
【００１０】
上記目的を達成するため、この発明の態様に係るディスク駆動装置は、基台と、前記基台上に配設されたディスク状の記録媒体と、前記基台上に設けられ、前記記録媒体を支持しているとともに回転させる駆動モータと、前記記録媒体に対して情報処理を行うヘッドと、前記基台上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なキャリッジと、前記基台に設けられ、前記キャリッジが退避位置に移動した際にキャリッジに当接し、前記キャリッジを退避位置に位置決めする固定ストッパと、前記キャリッジが前記退避位置に移動している状態で外力を受けた際、前記キャリッジをラッチして前記退避位置に保持するラッチ機構と、を備えている。前記ラッチ機構は、前記キャリッジをラッチ可能なラッチ位置とラッチを解除する解除位置との間を移動自在に前記底壁上に支持されたラッチ部材と、前記基台に設けられ前記ラッチ位置方向への前記ラッチ部材の移動を規制するラッチストッパと、を備え、前記ラッチ部材は、前記キャリッジが前記情報処理位置から退避位置に移動した際にキャリッジに当接し、前記キャリッジの移動に応じて前記ラッチ部材を解除位置からラッチ位置へ移動させる第１当接部と、前記ラッチ位置において前記キャリッジをラッチ可能なラッチ爪と、前記ラッチ位置において、前記ラッチストッパと隙間を置いて対向する第２当接部と、を有している。
【発明の効果】
【００１１】
この発明の態様によれば、衝撃が作用した場合でもヘッドの不用意な移動を防止し、衝撃に対する信頼性の高いディスク駆動装置を得ることができる。
【発明を実施するための最良の形態】
【００１２】
以下図面を参照しながら、この発明の実施形態に係るハードディスクドライブ（以下ＨＤＤと称する）について詳細に説明する。  
図１は、ＨＤＤのトップカバーを取外してＨＤＤの内部構造を示し、図２はＨＤＤのキャリッジおよびラッチ機構部分を示している。また、図３は、ラッチ機構を拡大して示している。図１および図２に示すように、ＨＤＤはケース１０を備えている。ケース１０は、上面の開口した矩形箱状のベース１２と、複数のねじによりベースにねじ止めされてベースの上端開口を閉塞した図示しないトップカバーと、を有している。基台として機能するベース１２は、矩形状の底壁１２ａと、底壁の周縁に沿って立設された側壁１２ｂとを有している。
【００１３】
ケース１０内には、ベース１２の底壁１２ａに取り付けられた駆動モータとしてのスピンドルモータ１８と、このスピンドルモータによって支持および回転される２枚の磁気ディスク１６ａ、１６ｂとが配設されている。また、ケース１０内には、磁気ディスク１６ａ、１６ｂに対して情報の記録、再生を行なう複数の磁気ヘッド１７、これらの磁気ヘッドを磁気ディスク１６ａ、１６ｂに対して移動自在に支持したキャリッジ２２、キャリッジを回動および位置決めするボイスコイルモータ（以下ＶＣＭと称する）２４、磁気ヘッドが磁気ディスクの最外周に移動した際、磁気ヘッドを磁気ディスクから離間した退避位置に保持するランプロード機構２５、ＨＤＤに衝撃等が作用した際、キャリッジを退避位置に保持する慣性ラッチ機構２７、およびプリアンプ等を有する基板ユニット２１が収納されている。ベース１２の底壁１２ａ外面には、図示しないプリント回路基板がねじ止めされている。プリント回路基板は、基板ユニット２１を介してスピンドルモータ１８、ＶＣＭ２４、および磁気ヘッド１７の動作を制御する。また、ベース１２には、ケース内の塵、埃を除去する循環フィルタ３３、および外部からケース１０内に吸込まれる外気から塵、埃等を捕獲する吸気フィルタ３７が設けられている。
【００１４】
記録媒体である各磁気ディスク１６ａ、１６ｂは、例えば、直径６５ｍｍ（２．５インチ）に形成され、上面および下面に磁気記録層を有している。２枚の磁気ディスク１６ａ、１６ｂは、スピンドルモータ１８の図示しないハブに互いに同軸的に嵌合されているとともにクランプばね２３によりクランプされ、ハブに固定されている。これにより、磁気ディスク１６ａ、１６ｂは、ベース１２の底壁１２ａと平行に位置した状態に支持されている。そして、磁気ディスク１６ａ、１６ｂは、駆動部としてのスピンドルモータ１８により所定の速度、例えば、５４００ｒｐｍあるいは７２００ｒｐｍの速度で矢印Ａ方向に回転される。
【００１５】
キャリッジ２２は、ベース１２の底壁１２ａ上に固定された軸受部２６と、軸受部から延出した４本のアーム２８と、を備えている。軸受部２６は、ベース１２の長手方向に沿って磁気ディスクの回転中心から離間して位置しているとともに、磁気ディスクの外周縁近傍に位置している。４本のアーム２８は、磁気ディスク１６ａ、１６ｂの表面と平行に、かつ、互いに所定の間隔を置いて位置しているとともに、軸受部２６から同一の方向へ延出している。キャリッジ２２は、弾性変形可能な細長い板状のサスペンション３０を備えている。サスペンション３０は、板ばねにより構成され、その基端がスポット溶接あるいは接着によりアーム２８の先端に固定され、アームから延出している。なお、各サスペンション３０は対応するアーム２８と一体に形成されていてもよい。
【００１６】
サスペンション３０の延出端には磁気ヘッド１７が取り付けられている。磁気ヘッド１７は、ほぼ矩形状のスライダとこのスライダに形成された記録再生用のＭＲ（磁気抵抗）ヘッドとを有し、サスペンション３０の先端部に形成されたジンバル部に固定されている。それぞれサスペンション３０に取り付けられた４つの磁気ヘッド１７は、２個ずつ互いに向かい合って位置し、各磁気ディスクを両面側から挟むように配設されている。
【００１７】
一方、キャリッジ２２は、軸受部２６からアーム２８と反対の方向へ延出した支持フレーム３４を有し、この支持フレームにより、ＶＣＭ２４の一部を構成するボイスコイル３６が支持されている。支持フレーム３４は、合成樹脂によりボイスコイル３６の外周に一体的に成形されている。ボイスコイル３６は、ベース１２上に固定された一対のヨーク３８間に位置し、これらのヨーク、および一方のヨークに固定された磁石３５とともにＶＣＭ２４を構成している。
【００１８】
ボイスコイル３６に通電することにより、キャリッジ２２は、磁気ヘッド１７が磁気ディスク１６ａ、１６ｂの外周側に外れて位置する退避位置と、磁気ヘッド１７が磁気ディスク上に位置する情報処理位置との間を軸受部２６の周りで回動される。すなわち、キャリッジ２２は、軸受部２６の回りで矢印Ｂ方向（ロード方向）および矢印Ｃ方向（アンロード方向）に回動され、磁気ヘッド１７は磁気ディスク１６ａ、１６ｂの所望のトラック上に移動および位置決めされる。これにより、磁気ヘッド１７は、磁気ディスク１６に対して情報の書き込みあるいは読み出しを行うことができる。キャリッジ２２およびＶＣＭ２４はヘッドアクチュエータを構成している。
【００１９】
底壁１２ａ上には、それぞれピン状の第１固定ストッパ４４ａおよび第２固定ストッパ４２ｂが立設されている。第１固定ストッパ４４ａは、キャリッジ２２が退避位置に回動した際にキャリッジの支持フレームが当たる位置に設けられ、キャリッジ２２の退避位置方向、つまり、アンロード方向Ｃへの過度の移動を規制する。第２固定ストッパ４４ｂは、キャリッジ２２が磁気ディスク１６ａ、１６ｂの最内周側に回動した際に支持フレーム３４が当接する位置にもうけられ、キャリッジ２２の情報処理位置方向、つまり、ロード方向Ｂへの過度の移動を規制する。第１および第２固定ストッパ４４ａ、４４ｂは、支持フレーム３４に当接する際の衝撃を吸収するため、弾性を有している。例えば、第１および第２固定ストッパ４４ａ、４４ｂの表面が合成樹脂、ゴム等の弾性材によって被覆されている。
【００２０】
図２および図３に示すように、キャリッジ２２の支持フレーム３４には、第１固定ストッパ４４ａに当接するストッパ当接部として機能するストッパ当接面６０、および後述するラッチ機構２７のラッチアームに当接するラッチ当接部６１が形成されている。支持フレーム３４において、ラッチ当接部６１の近傍には、例えば、ステンレス等の磁性体からなる第１磁気吸引部６２が形成されている。この第１磁気吸引部６２は、ＶＣＭ２４の磁石３５に磁気的に吸引され、キャリッジ２２を退避位置方向、つまり、第１固定ストッパ４４ａに当接する方向に付勢している。また、支持フレーム３４において、ラッチ当接部６１の近傍には、外側に突出した係合爪６３が一体に形成されている。この係合爪６３は、慣性ラッチ機構２７の一部を構成している。
【００２１】
ランプロード機構２５は、ベース１２の底壁１２ａに設けられているとともに磁気ディスク１６ａ、１６ｂの外側に配置されたランプ４０と、各サスペンション３０の先端から延出したタブ４２と、を備えている。ランプ４０は、磁気ディスク１６ａ、１６ｂの回転方向Ａに関して、軸受部２６の下流側に位置している。キャリッジ２２が回動し、磁気ヘッド１７が磁気ディスク１６ａ、１６ｂの外側の退避位置まで回動する際、各タブ４２は、ランプ４０に形成されたランプ面と係合し、その後、ランプ面の傾斜によって引き上げられ、磁気ヘッド１７をアンロードする。
【００２２】
基板ユニット２１は、フレキシブルプリント回路基板により形成された本体２１ａを有し、この本体２１ａはベース１２の底壁１２ａに固定されている。本体２１ａ上にはヘッドアンプ等の電子部品が実装されている。基板ユニット２１は本体２１ａから延出したメインフレキシブルプリント回路基板（以下、メインＦＰＣと称する）２１ｂを有している。メインＦＰＣ２１ｂの延出端は、キャリッジ２２の軸受部２６近傍に接続され、更に、アーム２８およびサスペンション３０上に設けられた図示しないケーブルを介して磁気ヘッド１７に電気的に接続されている。基板ユニット２１の本体底面にはプリント回路基板と接続するための図示しないコネクタが実装されている。
【００２３】
図２および図３に示すように、ラッチ機構２７は、キャリッジ２２の支持フレーム３４の近傍でベース１２の底壁１２ａ上に設けられた板状のラッチアーム５０と、キャリッジ２２の支持フレーム３４から突出した係合爪６３とを有している。ラッチ部材として機能するラッチアーム５０は、その中央部に支持部５２を有し、この支持部は枢軸５１により、底壁１２ａ上に回動自在に支持されている。ラッチアーム５０は、支持部５２から延出し支持フレーム３４の係合爪６３と係合可能なラッチ爪５４、支持部からラッチ爪５４とほぼ直交する方向に延出し支持フレーム３４のラッチ当接部６１に当接可能な第１当接部５６ａ、ベース１２に形成された第１ラッチストッパ６４ａと当接可能な第２当接部５６ｂ、ベース１２に形成された第２ラッチストッパ６４ｂと当接可能な第３当接部５６ｃを有し、合成樹脂等により一体に成形されている。
【００２４】
そして、ラッチアーム５０は、ラッチ爪５４が支持フレーム３４の係合爪６３の移動路内に位置しキャリッジ２２をラッチ可能な図示のラッチ位置と、ラッチを解除しキャリッジ２２の回動を許容する解除位置との間を回動可能に支持されている。
【００２５】
ラッチアーム５０の第２当接部５６ｂは、支持部５２に対して、ラッチ爪５４と反対側に設けられ、第３当接部５６ｃは、支持部５２に対してラッチ爪５４側に設けられている。第１ラッチストッパ６４ａは、ラッチ位置方向へのラッチアーム５０の過度の移動を規制し、第２ラッチストッパ６４ｂは、解除位置方向へのラッチアーム５０の過度の回動を規制する。ラッチ位置において、ラッチアーム５０の第２当接部５６ｂは、隙間Ｇを置いて第１ラッチストッパ５４ａと対向する。この隙間Ｇは、例えば、０．５〜２ｍｍ、望ましくは、１〜２ｍｍに設定されている。また、解除位置において、ラッチアーム５０の第３当接部５６ｃは、第２ラッチストッパ５４ａに当接し、ラッチアーム５０の回動を規制する。
【００２６】
ラッチアーム５０は、支持部５２を挟んで、ラッチ爪５４と反対側に設けられた第２磁気吸引部５８を有している。第２磁気吸引部５８は、ラッチアーム５０に埋め込まれたステンレス等の磁性体により構成されている。第２磁気吸引部５８は、ＶＣＭ２４の磁石３５に磁気的に吸引され、ラッチアーム５０を解除位置方向、つまり、第１当接部５６ａがキャリッジ２２の支持フレームに当接する方向に付勢している。
【００２７】
上記構成のラッチ機構２７は、ＨＤＤが衝撃等の外力を受けた際、退避位置に移動したキャリッジ２２をラッチし、キャリッジが退避位置から情報処理位置へ移動することを防止する。すなわち、図４に示すように、ＨＤＤの情報処理動作時、キャリッジ２２がＶＣＭ２４によって情報処理位置に回動され、磁気ヘッド１７が磁気ディスク１６ａ、１６ｂ上にロードされる。キャリッジ２２が情報処理位置へ回動することにより、支持フレーム４３のラッチ当接部６１がラッチアーム５０の第１当接部５６ａから離間する。これによって、ラッチアーム５０はラッチ当接部６１による動きの制限がなくなり、磁気吸引部５８がＶＣＭ２４の磁石３５に磁気的に吸引されることにより、枢軸５１の周りで時計方向に回動し、第３当接部５６ｃが第２ラッチストッパ６４ｂに当接する図示の解除位置に保持されている。解除位置において、ラッチアーム５０のラッチ爪５４は、支持フレーム３４に形成された係合爪６３から離間し、かつ、係合爪６３の移動経路から外れて位置し、キャリッジ２２の回動動作を許容している。それにより、係合爪６３がラッチ爪５４に掛かることがなく、磁気ヘッド１７を磁気ディスク１６ａ、１６ｂ上にロードすることが可能となる。
【００２８】
ＨＤＤの動作停止時において、キャリッジ２２が情報処理位置から退避位置に回動されると、図３に示すように、支持フレーム３４のストッパ当接面６０が第１固定ストッパ４４ｂに当接する。また、支持フレーム３４の第１磁気吸引部６２が磁石３５に磁気的に吸引されることにより、キャリッジ２２はストッパ当接面６０が第１固定ストッパ４４ｂに当接する図示に退避位置に保持される。なお、第１固定ストッパ４４ａは弾性を有しているため、支持フレーム３４が第１固定ストッパ４４ａに当接する際、第１固定ストッパによって衝撃が吸収されるとともに、衝突音の発生が抑制される。
【００２９】
キャリッジ２２が退避位置に回動すると、支持フレーム３４のラッチ当接部６１がラッチアーム５０の第１当接部５６ａに当接し第１当接部５６ａを押圧する。これにより、ラッチアーム５０は枢軸５１の周りで反時計方向に回動し、図示のラッチ位置に移動する。この際、ラッチアーム５０は、第２磁気吸引部６２の磁気吸引力により、枢軸５１の周りで時計方向に付勢されていることから、第１当接部５６ａが支持フレーム３４のラッチ当接部６１に押し付けられた状態で回動するとともに、ラッチ位置に保持される。また、解除位置において、ラッチアーム５０の第２当接部５６ｂは、隙間Ｇを置いて第１ラッチストッパ６４ａに対向している。従って、ラッチ位置において、ラッチアーム５０は、キャリッジ２２との接触のみで位置決めされ、ベース１２の第１および第２ラッチストッパ６４ａ、６４ｂとは接触していない。
【００３０】
ラッチアーム５０がラッチ位置に保持された状態において、ラッチ爪５４は、支持フレーム３４の係合爪６３の近傍で係合爪６３の移動経路内に位置し、係合爪６３をラッチ可能となっている。
【００３１】
図５は、ラッチ爪５４の軌道Ｒと係合爪６３の軌道Ｅとの位置関係を示している。ラッチアーム５０およびキャリッジ２２が静止した状態、すなわち、図３に示す非動作時のラッチ位置および退避位置における、ラッチ爪５４の先端位置をＲ１、係合爪６３の先端位置をＥ１とする。ラッチ爪５４の先端はラッチアーム５０の回転軸Ｃ１を中心とする円に沿った軌道Ｒを描き、係合爪６３は、キャリッジ２２の回転軸Ｃ２を中心とする円に沿った軌道Ｅを描く。
【００３２】
非動作時のラッチ爪５４の先端位置Ｒ１は、係合爪６３先端の描く軌道Ｅの内周に存在している。ラッチ爪５４は、ラッチアーム５０の第１当接部５６ａがキャリッジ２２のラッチ当接部６１から離れると第２磁気吸引部５８による磁気吸引力により時計回りに回動を始めるが、ラッチ掛かり限界点Ｒ３に達するまでは係合爪６３の描く軌道Ｅの内周に存在するため、係合爪６３をラッチすることができる。すなわち、非動作時に外部からの衝撃によって第１当接部５６ａとラッチ当接部６１とが離れることがあっても、ラッチ爪５４の先端がラッチ掛かり限界点Ｒ３に達する前に、係合爪６３の先端がラッチ掛かり限界点Ｒ３に達することにより、ラッチが掛かることを意味する。
【００３３】
ＨＤＤの非動作時、外部から強いロード方向Ｂの回転衝撃が作用した場合の動作について説明する。非動作時、キャリッジ２２が退避位置に移動し、かつ、ラッチアーム５０がラッチ位置に保持された状態でＨＤＤにロード方向Ｂの回転衝撃が作用した場合、図６に示すように、キャリッジ２２は慣性力によって軸受部の周りで反時計回り、つまり、情報処理位置方向に回動する。一方、ラッチアーム５０にも反時計回りの慣性力が働く。この際、ラッチアーム５０には時計回りに第２磁気吸引部による磁力が働いているが、これに慣性力が抵抗するため、ラッチアーム５０の動きは鈍く、やがて回動してきたキャリッジ２２の係合爪６３がラッチアーム５０のラッチ爪５３に掛かり、それ移動の回動が規制される。これにより、磁気ヘッド１７の飛び出しを防止することができる。
【００３４】
また、ＨＤＤの非動作時、外部より強いアンロード方向Ｃの回転衝撃が作用した場合、キャリッジ２２は慣性力によって軸受部の周りで時計回り、つまり、第１固定ストッパ４４ａの方向に回動しようとする。キャリッジ２２の慣性モーメントは、ラッチアーム５０の慣性モーメントよりもはるかに大きいため、キャリッジ２２はラッチアーム５０の第１当接部５６ａと接触したまま時計回りに回転を始める。やがて、キャリッジ２２は第１固定ストッパ４４ａの弾力によって反発され、時計回りに大きく回転しようとする。
【００３５】
一方でキャリッジ２２によって反時計回りに回動されたラッチアーム５０は、常時作用している第２磁気吸引部５８の磁気吸引力による時計回りの回転力によって、その動きが次第に弱められる。同時に、ラッチアーム５０の第２当接部５６ｂは隙間Ｇを置いて第１ラッチストッパ６４ａに対向していたことから、ラッチアーム５０は隙間Ｇ分だけ、反時計周りの回動が許容され、直ちに第１ラッチストッパ６４ａに当接し反発されることがない。
【００３６】
この時点で、ラッチアーム５０はキャリッジ２２によって反時計回りに回転させられているので、ラッチ爪５３の先端位置は図５のラッチ爪最大到達点Ｒ２に達し、非動作時のラッチ爪先端位置Ｒ１よりも反時計方向の位置に存在する。そのため、ラッチ爪５４が掛かり限界点Ｒ３へ到達するまでの距離が非動作時よりも伸び、第２当接部５６ｂが第１ラッチストッパ６４ａに当接し反発された場合でも、確実に係合爪６３にラッチ爪５４を掛かることができる。これにより、キャリッジ２２はラッチ爪５４により回動動作が規制され、退避位置に保持される。
【００３７】
以上のように構成されたＨＤＤによれば、ラッチ機構を設けることにより、ＨＤＤにどのような方向の外力が作用した場合でも、キャリッジ２２の不用意な移動を規制し、磁気ヘッドが磁気ディスク１６に衝突して損傷するといった不具合を防止することができる。また、非動作時のラッチ位置において、ラッチアームの第２当接部５６ｂはベース１２の第１ラッチストッパ６４ａと非接触であり、ラッチアームの係止を第１固定ストッパで兼用することにより、アンロード方向の回転衝撃に対するラッチアームの弾性変形を防止し、ラッチ機構の信頼性を高めることが可能となる。更に、ラッチアームが解除位置からラッチ位置に移動する際、ベースのストッパと当接しないため、キャリッジをアンロードする際、衝突音の発生を防止することができる。
【００３８】
例えば、ラッチ爪５４の先端位置Ｒ１は、係合爪６３先端の描く軌道Ｅの内周に存在せず、外周に存在してもよい。この場合は、ラッチアームの磁気吸引力と慣性力の兼合いにより適用可能である。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４０】
例えば、ラッチ部材の形状は、前述したアーム形状に限らず、種々変更可能である。磁気ディスクの枚数は２枚に限らず、必要に応じて増減可能である。また、磁気ディスクの大きさは、３．５インチ、２．５インチ、１．８インチなど、いずれの大きさにも適用可能である。
【図面の簡単な説明】
【００４１】
【図１】図１は、この発明の実施形態に係るＨＤＤを示す斜視図。
【図２】図２は、前記ＨＤＤの一部を拡大して示す平面図。
【図３】図３は、ラッチ部材がラッチ位置に移動した状態における前記ＨＤＤのラッチ機構を拡大して示す平面図。
【図４】図４は、ラッチ部材が解除位置に移動した状態における前記ＨＤＤのラッチ機構を拡大して示す平面図。
【図５】図５は、ラッチ爪の軌道とキャリッジ側の係合爪の軌道との位置関係を示す図。
【図６】図６は、回転衝撃によりキャリッジが回動し、ラッチ機構のラッチが掛かった状態を示す平面図。
【符号の説明】
【００４２】
１０…ケース、１２…ベース、１２ａ…底壁、１６ａ、１６ｂ…磁気ディスク、
１７…磁気ヘッド、１８…スピンドルモータ、２２…キャリッジ、２６…軸受部、
２７…慣性ラッチ機構、３４…支持フレーム、４０…ランプ、
４４ａ…第１固定ストッパ、５０…ラッチアーム、５２…支持部、５４…ラッチ爪、
５６ａ…第１当接部、５６ｂ…第２当接部、５６ｃ…第３当接部、
５８…第１磁気吸引部、６０…ストッパ当接面、６１…ラッチ当接部、
６２…第２磁気吸引部、６３…係合爪、６４ａ…第１ラッチストッパ、
６４ｂ…第２ラッチストッパ
【要約】
【課題】衝撃が作用した場合でもヘッドが不用意に移動することがなく、衝撃に対する信頼性の高いディスク駆動装置を提供する。
【解決手段】ディスク駆動装置は、基台１２と、ディスク状の記録媒体と、記録媒体を支持、回転させる駆動モータと、記録媒体に対して情報処理を行うヘッドと、キャリッジ２２と、ラッチ機構２７と、を備えている。ラッチ機構は、ラッチ位置と解除位置との間を移動自在に前記底壁上に支持されたラッチ部材５０と、基台に設けられラッチ位置方向へのラッチ部材の移動を規制するラッチストッパ６４ａと、を備えている。ラッチ部材は、キャリッジが情報処理位置から退避位置に移動した際にキャリッジに当接し、キャリッジの移動に応じてラッチ部材を解除位置からラッチ位置へ移動させる第１当接部５６ａと、ラッチ位置においてキャリッジをラッチ可能なラッチ爪５４と、ラッチ位置において、ラッチストッパと隙間Ｇを置いて対向する第２当接部５６ｂと、を有している。
【選択図】  図３【図１】
0004256445.tif 000002
【図２】
0004256445.tif 000003
【図３】
0004256445.tif 000004
【図４】
0004256445.tif 000005
【図５】
0004256445.tif 000006
【図６】
0004256445.tif 000007